(57)【要約】      （修正有）【課題】空気調和機の電気部品の冷却を確保し、電装箱への雨水の浸入を防止すること。【解決手段】室外機２１運転時、電装箱２４内の温度を検知し、電気部品３０の温度が冷却の必要な場合のみ開閉モーター３３により排気口扉３２を開き、熱交用送風機２２の回転により送風機室２３内は負圧になり、外気は外気導入口２８から機械室２６へ導入され、電装箱２４の吸気口２９から電装箱２４内に入り、電気部品３０を冷却して排気口３１から送風機室２３へ排気されるため、停止時に、風雨が強く、雨水を含んだ空気が送風機吹出口２７から逆流し送風機室２３内に浸入しても、電装箱２４には浸入することはない。【選択図】図１
2007198703.tif 000002
【特許請求の範囲】
【請求項１】
熱交用送風機の負圧により吸気口から排気口へ通気して内部の電気部品を冷却する電装箱を備えた室外機において、前記排気口を開閉する排気口扉を有し、前記排気口扉の開閉を制御装置の電気信号により開閉することを特徴とした空気調和機。
【請求項２】
排気口扉をアルミニウム製としたことを特徴とする請求項１に記載の空気調和機。
【請求項３】
排気口扉に放熱フィンを設けたことを特徴とする請求項１又は２に記載の空気調和機。
【請求項４】
電装箱内部に温度センサーを備え、前記温度センサー検出値が所定値より高くなった場合、熱交用送風機の回転数を所定値だけ上げることを特徴とする請求項１〜３に記載の空気調和機。
【請求項５】
電装箱内部に温度センサーを備え、前記温度センサー検出値が所定値より高くなった場合、圧縮機の回転数を所定値だけ下げることを特徴とする請求項１〜４に記載の空気調和機。
【発明の詳細な説明】
【技術分野】
【０００１】
本発明はインバーター等、冷却が必要な電気部品を有する空気調和機に関するものである。
【背景技術】
【０００２】
従来、この種の空気調和機の室外機は熱交用送風機による負圧を利用して、吸気口より導入した外気で電気部品を冷却し、熱交用送風機側へ排気している（例えば、特許文献１参照）。図４は特許文献１に記載された空気調和機を示すものである。図４において熱交用送風機の回転による負圧により機械室外気取入口１１から導入した外気を通気制御板１２を通して電気部品１０を冷却し、通気口９より排気を行っている。
【特許文献１】特開２００３−１０６５６９号公報
【発明の開示】
【発明が解決しようとする課題】
【０００３】
しかしながら、前記従来の構成では、熱交用送風機が停止し、通気口から排気が行われていない場合、本体空気吹出口や熱交換器を通過した雨水などが通気口から逆流して電装箱内に浸入し、電装部品の故障や、漏電などの危険を招く恐れがあるという課題を有していた。
【０００４】
本発明は、前記従来の課題を解決するもので、電気部品の冷却を確保し、電装箱内に雨水などの浸入防止を図った空気調和機室外機を提供することを目的とする。
【課題を解決するための手段】
【０００５】
前記従来の課題を解決するために、本発明の空気調和機は、熱交用送風機の負圧により吸気口から排気口へ通気して内部の電気部品を冷却する電装箱を備えた室外機において、前記排気口を開閉する排気口扉を有し、前記排気口扉の開閉を制御装置の電気信号により開閉することを特徴としたものである。これによって電装箱から排気の必用がない場合に排気口扉を閉じることにより、雨水などの浸入を防止する。
【発明の効果】
【０００６】
本発明の空気調和機は、電装箱から排気の必要がない場合に排気口扉を閉じることにより、雨水などの浸入を防止することができる。
【発明を実施するための最良の形態】
【０００７】
第１の発明は、熱交用送風機の負圧により吸気口から排気口へ通気して内部の電気部品を冷却する電装箱を備えた室外機において、排気口を開閉する排気口扉を有し、前記排気口扉の開閉を制御装置の電気信号により開閉することにより、内部の電気部品の温度が冷却の必要な温度まで上昇した場合のみ、排気口扉を開けて吸気口から導入した空気で電気部品の冷却を確保し、内部の電気部品の冷却が不要なときに排気口扉を閉じることにより、排気口から逆流する空気に混じって電装箱内に雨水などが進入し電気部品の故障や漏電等危険な状態を招くことを防止することができる。
【０００８】
第２の発明は、特に、第１の発明の排気口扉をアルミニウム製とすることにより、排気口扉を伝熱させて電装箱内部の熱を放熱することができるので、排気口扉を閉じているときにも電装箱内部の温度上昇を低減し、排気口扉を開く頻度を低減でき、排気口から逆流する空気に混じって電装箱内に雨水などが進入し、電気部品の故障や漏電等危険な状態を招くことを防止することができる。
【０００９】
第３の発明は、特に、第１〜２の発明の排気口扉に放熱フィンを設けたことにより、排気口扉を伝熱して電装箱内部の熱を放熱することができるので、排気口扉を閉じているときにも電装箱内部の温度上昇を低減し、排気口扉を開く頻度を低減でき、排気口から逆流する空気に混じって電装箱内に雨水などが進入し、電気部品の故障や漏電等危険な状態を招くことを防止することができる。
【００１０】
第４の発明は、特に、第１〜３の発明の電装箱内部に温度センサーを備え、前記温度センサー検出値が所定値より高くなった場合、熱交用送風機の回転数を所定値だけ上げることにより、電気部品の冷却効率をさらに向上し、電気部品の劣化を防止し寿命と信頼性を向上することができる。
【００１１】
第５の発明は、特に、第１〜４の発明の電装箱内部に温度センサーを備え、前記温度センサー検出値が所定値より高くなった場合、圧縮機の回転数を所定値だけ下げることにより、電気部品の温度上昇を抑制し、電気部品の劣化を防止し寿命と信頼性を向上することができる。
【００１２】
以下、本発明の実施の形態について、図面を参照しながら説明する。なお、この実施の形態によって本発明が限定されるものではない。
【００１３】
（実施の形態１）
図１は、本発明の第１の実施の形態における空気調和機の室外機の正面からの断面模式図、図２は図１の電装箱近傍の拡大図である。図１において、室外機２１は熱交用送風機２２を備えた送風機室２３と、電装箱２４と圧縮機２５を備えた機械室２６とから構成されている。
【００１４】
送風機吹出口２７から熱交用送風機２２の回転により熱交換した空気を吹き出し、送風機室２３が負圧になることにより、外気は外気導入口２８から機械室２６へ導入され、電装箱２４の吸気口２９から電装箱２４内に入り、電気部品３０を冷却して排気口３１から送風機室２３へ排気される。
【００１５】
排気口３１には排気口扉３２を備え、排気口扉３２はアルミニウム製で表面に放熱フィン３２ａを設けてあり、排気口３１を開閉できるように扉の上端面に水平な回転軸３２ｂを備え、送風機室２３側へ揺動できるように設置され、排気口３１周囲の当接面３１ａと接しており、開閉モーター３３により開閉する。図１と図２において、排気口扉３２の実線が揺動して排気口３１が開いている状態、破線が閉じている状態を示している。
【００１６】
温度センサー３４は電装箱２４内に設置され、検出値を電気部品３０に出力する。熱交用送風機２２と圧縮機２５と開閉モーター３３は電気部品３０に接続されており、電気部品３０により熱交用送風機２２と圧縮機２５は回転数の制御を行い、開閉モーター３３は排気口扉３２の開閉を行うように構成している。
【００１７】
以上のように構成された空気調和機について、以下その動作、作用を説明する。まず、排気口扉３２を閉じた状態では排気口扉３２は開閉モーター３３により排気口３１の当接面に押さえつけられて接している。従って風雨が強く、雨水を含んだ空気が送風機吹出口２７から逆流し送風機室２３内に浸入しても、電装箱２４には浸入することはない。また、排気口扉３２はアルミニウム製で表面に放熱フィン３２ａを設けているので、排気口扉３２を閉じて室外機２１を運転しても、排気口扉３２の伝熱により電装箱２４内の熱を放熱することができる。
【００１８】
次に、室外機２１の運転中に排気口扉３２を開閉モーター３３により開いている場合は、熱交用送風機２２が回転しているため送風機室２３内は負圧になり、外気は矢印Ａで示すように外気導入口２８から機械室２６へ導入され、電装箱２４の吸気口２９から電装箱２４内に入り、電気部品３０を冷却して排気口３１から送風機室２３へ排気される。
【００１９】
運転時は、図示しない熱交換器側から送風機室２３内に雨水が入った場合でも、電装箱２４から送風機室２３側へ排気が行われているために、電装箱２４内への雨水の浸入は起こらない。
【００２０】
次に、本発明の実施の形態１の空気調和機の運転制御についてフローチャート図２を用いて説明する。
【００２１】
ＳＴＥＰ１で室外機２１の運転を開始し、圧縮機２５と熱交用送風機２２を所定の回転数で運転する。ＳＴＥＰ２で電装箱２３内の温度Ｔ１を検出し、ＳＴＥＰ３で検出温度Ｔ１と第１所定値とを比較し、検出温度Ｔ１が第１所定値以上の場合はＳＴＥＰ４へ進み開閉モーター３３により排気口扉３２を開きＳＴＥＰ５へ進み、第１所定値未満の場合には排気口扉３２は閉じたままＳＴＥＰ５へ進む。
【００２２】
ＳＴＥＰ５では検出温度Ｔ１と第２所定値とを比較し、検出温度Ｔ１が第２所定値以上の場合はＳＴＥＰ６で熱交用送風機２２の回転数を所定値だけ上げて導入空気量を増加させて電気部品３０のさらなる冷却を行いＳＴＥＰ７へ進む。第２所定値未満の場合には回転数はそのままでＳＴＥＰ７へ進む。
【００２３】
ＳＴＥＰ７では検出温度Ｔ１と第３所定値とを比較し、検出温度Ｔ１が第３所定値以上の場合はＳＴＥＰ８へ進み圧縮機２５の回転数を所定値だけ下げて、電気部品３０の発熱量を減らしてルーチンを終了する。第３所定値未満の場合には回転数はそのままでルーチンを終了する。
【００２４】
以上のように、本実施の形態においては、排気口３１を開閉するアルミニウム製で表面に放熱フィン３２ａを設けた排気口扉３２を有し、開閉モーター３３により開閉する構成としたので、室外機運転時、電気部品３０の温度が冷却の必要な所定値より高い場合は排気口扉３２を開けて吸気口２９から導入した空気で電気部品３０の冷却を確保し、電気部品３０の温度が冷却の不要な温度の場合は排気口扉３２を閉じ、排気扉３２の伝熱により電装箱２４内の熱を放熱することにより、排気口３１から逆流する空気に混じって電装箱２４内に雨水などが進入し、電気部品３０の故障や漏電等危険な状態を招くことを防止することができ、さらに、電装箱２４の温度が所定値より上昇しないように熱交用送風機２２と圧縮機２５を制御するので、電気部品３０の劣化を防止し寿命と信頼性を向上することができる。
【産業上の利用可能性】
【００２５】
以上のように、本発明にかかる空気調和機は、電気部品の冷却空気の排気口を冷却不要時に閉じることが可能となるので、屋外に設置し電気部品の冷却が必要な自動販売機等の用途にも適用できる。
【図面の簡単な説明】
【００２６】
【図１】本発明の実施の形態１における空気調和機の室外機の正面からの断面図
【図２】図１の電装箱近傍の拡大図
【図３】本発明の実施の形態１における空気調和機のフローチャート
【図４】従来の空気調和機の室外機のの部分断面図
【符号の説明】
【００２７】
２２  熱交用送風機
２４  電装箱
２５  圧縮機
２９  吸気口
３０  電気部品
３１  排気口
３１ａ  当接面
３２  排気口扉
３２ａ  放熱フィン
３２ｂ  回転軸
３３  開閉モーター
３４  温度センサー
【図１】
2007198703.tif 000003
【図２】
2007198703.tif 000004
【図３】
2007198703.tif 000005
【図４】
2007198703.tif 000006